【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
撮影モードを設定するモード設定手段と、
撮影した画像から、撮影モードに対応するサンプル画像を抽出する画像抽出手段と、
前記モード設定手段により撮影モードを選択する際に、選択された撮影モードに応じたサンプル画像を表示するとともに、選択された撮影モードで撮影された画像を、前記サンプル画像とは区別して表示部の別領域に並べて表示する表示手段とを具備することを特徴とする画像処理装置。
【請求項２】
被写体の光学像を光電変換して画像を撮影する撮影手段と、前記撮影手段により撮影した画像を記録する記録手段とを更に備え、
前記撮影した画像は静止画像及び動画像を含むことを特徴とする請求項１に記載の画像処理装置。
【請求項３】
前記画像抽出手段は、抽出した画像の倍率を変更して前記サンプル画像を生成することを特徴とする請求項１又は２に記載の画像処理装置。
【請求項４】
前記画像抽出手段は、前記サンプル画像を選択し前記記録手段に登録する選択手段を備え、
前記画像抽出手段は、前記選択手段によりサンプル画像の選択指示がなされた時に各撮影モードに対応するサンプル画像を前記記録手段に登録することを特徴とする請求項２又は３に記載の画像処理装置。
【請求項５】
前記画像抽出手段は、撮影された画像からサンプル画像を抽出する条件として、各撮影モードにおいて撮影日時が最も新しい画像を抽出することを特徴とする請求項１乃至４のいずれか１項に記載の画像処理装置。
【請求項６】
前記画像抽出手段は、撮影された画像からサンプル画像を抽出する条件として、各撮影モードにおいてファイルサイズの最も大きい画像を抽出することを特徴とする請求項１乃至４のいずれか１項に記載の画像処理装置。
【請求項７】
前記画像抽出手段は、装置をシャットダウンする時に前記撮影された画像からサンプル画像を抽出し前記記録手段に登録することを特徴とする請求項２乃至６のいずれか１項に記載の画像処理装置。
【請求項８】
被写体の光学像を光電変換して画像を撮影する撮影手段と、
前記撮影手段により撮影した画像を記録する記録手段と、
前記記録手段に記録された画像の中から任意の画像を選択する選択手段と、
前記選択手段により選択された画像を撮影モードに対応するサンプル画像として登録する登録手段とを具備することを特徴とする画像処理装置。
【請求項９】
撮影モードを設定するモード設定手段と、
前記モード設定手段により撮影モードを選択する際に、選択された撮影モードに応じたサンプル画像を表示する表示手段とを更に具備することを特徴とする請求項８に記載の画像処理装置。
【請求項１０】
前記表示手段は、前記モード設定手段により選択された撮影モードで撮影された画像を、前記サンプル画像とは区別して表示部の別領域に並べて表示することを特徴とする請求項９に記載の画像処理装置。
【請求項１１】
撮影モードを設定するモード設定手段を有する画像処理装置の制御方法であって、
撮影した画像から、撮影モードに対応するサンプル画像を抽出する画像抽出工程と、
前記モード設定手段により撮影モードを選択する際に、選択された撮影モードに応じたサンプル画像を表示するとともに、選択された撮影モードで撮影された画像を、前記サンプル画像とは区別して表示部の別領域に並べて表示する表示工程とを具備することを特徴とする制御方法。
【請求項１２】
前記画像処理装置は、被写体の光学像を光電変換して画像を撮影する撮影手段と、前記撮影手段により撮影した画像を記録する記録手段とを備え、
前記撮影した画像は静止画像及び動画像を含むことを特徴とする請求項１１に記載の制御方法。
【請求項１３】
前記画像抽出工程では、抽出した画像の倍率を変更して前記サンプル画像を生成することを特徴とする請求項１１又は１２に記載の制御方法。
【請求項１４】
前記画像抽出工程は、前記サンプル画像を選択し前記記録手段に登録する選択工程を備え、
前記画像抽出工程では、前記選択工程によりサンプル画像の選択指示がなされた時に各撮影モードに対応するサンプル画像を前記記録手段に登録することを特徴とする請求項１２又は１３に記載の制御方法。
【請求項１５】
前記画像抽出工程では、撮影された画像からサンプル画像を抽出する条件として、各撮影モードにおいて撮影日時が最も新しい画像を抽出することを特徴とする請求項１１乃至１４のいずれか１項に記載の制御方法。
【請求項１６】
前記画像抽出工程では、撮影された画像からサンプル画像を抽出する条件として、各撮影モードにおいてファイルサイズの最も大きい画像を抽出することを特徴とする請求項１１乃至１４のいずれか１項に記載の制御方法。
【請求項１７】
前記画像抽出工程では、装置をシャットダウンする時に前記撮影された画像からサンプル画像を抽出し前記記録手段に登録することを特徴とする請求項１２乃至１６のいずれか１項に記載の制御方法。
【請求項１８】
被写体の光学像を光電変換して画像を撮影する撮影手段と、前記撮影手段により撮影した画像を記録する記録手段とを備える画像処理装置の制御方法であって、
前記記録手段に記録された画像の中から任意の画像を選択する選択工程と、
前記選択工程にて選択された画像を撮影モードに対応するサンプル画像として登録する登録工程とを備えることを特徴とする制御方法。
【請求項１９】
撮影モードを設定するモード設定工程と、
前記モード設定工程により撮影モードを選択する際に、選択された撮影モードに応じたサンプル画像を表示する表示工程とを更に具備することを特徴とする請求項１８に記載の制御方法。
【請求項２０】
前記表示工程では、前記モード設定工程により選択された撮影モードで撮影された画像を、前記サンプル画像とは区別して表示部の別領域に並べて表示することを特徴とする請求項１８又は１９に記載の制御方法。
【請求項２１】
撮影モードを設定するモード設定手段を有する画像処理装置のコンピュータに、
撮影した画像から、撮影モードに対応するサンプル画像を抽出する画像抽出工程と、
前記モード設定手段により撮影モードを選択する際に、選択された撮影モードに応じたサンプル画像を表示するとともに、選択された撮影モードで撮影された画像を、前記サンプル画像とは区別して表示部の別領域に並べて表示する表示工程とを実行させるためのプログラム。
【請求項２２】
被写体の光学像を光電変換して画像を撮影する撮影手段と、前記撮影手段により撮影した画像を記録する記録手段とを備える画像処理装置のコンピュータに、
前記記録手段に記録された画像の中から任意の画像を選択する選択工程と、
前記選択工程にて選択された画像を撮影モードに対応するサンプル画像として登録する登録工程とを実行させるためのプログラム。
【手続補正２】
【補正対象書類名】明細書
【補正対象項目名】０００６
【補正方法】変更
【補正の内容】
【０００６】
上記課題を解決し、目的を達成するために、本発明は、撮影モードを設定するモード設定手段と、撮影した画像から、撮影モードに対応するサンプル画像を抽出する画像抽出手段と、前記モード設定手段により撮影モードを選択する際に、選択された撮影モードに応じたサンプル画像を表示するとともに、選択された撮影モードで撮影された画像を、前記サンプル画像とは区別して表示部の別領域に並べて表示する表示手段とを具備する。
【手続補正３】
【補正対象書類名】明細書
【補正対象項目名】０００７
【補正方法】変更
【補正の内容】
【０００７】
また、本発明は、撮影モードを設定するモード設定手段を有する画像処理装置の制御方法であって、撮影した画像から、撮影モードに対応するサンプル画像を抽出する画像抽出工程と、前記モード設定手段により撮影モードを選択する際に、選択された撮影モードに応じたサンプル画像を表示するとともに、選択された撮影モードで撮影された画像を、前記サンプル画像とは区別して表示部の別領域に並べて表示する表示工程とを具備する。